(57)【要約】【課題】ビデオテープに記録された映像音声信号をデジタル記録媒体にダビングするときの操作を簡単化する。【解決手段】磁気テープ１６に記録されたインデックス信号の総数を検出するインデックス検出手段１２と、検出されたインデックス信号の総数に等しい選択肢を表示するとともに、ダビングの対象とする選択肢の指定の受け付けを行う選択肢指定手段１３とを備える。また、ダビング制御手段１１は、ダビングの対象として指定された選択肢に対応するインデックス信号が何番目に検出されたインデックス信号であるかに基づき、磁気テープ１６に記録された映像音声信号のうちから、ダビングの対象として指定された選択肢に対応する映像音声信号を、映像音声情報としてデジタル記録媒体１７，１８に記録する。【選択図】  図１
2006041854.tif 000002
【特許請求の範囲】
【請求項１】
磁気テープに記録されたアナログ信号形式の映像音声信号を再生して出力するとともに磁気テープに記録されたインデックス信号の検出を行う磁気テープ装置部と、
磁気テープ装置部より出力される映像音声信号をデジタル信号形式の映像音声情報に変換してデジタル記録媒体に記録するデジタル装置部と、
磁気テープ装置部により検出されるインデックス信号に基づき、磁気テープ装置部とデジタル装置部との動作を制御することによって、磁気テープに記録された映像音声信号を映像音声情報としてデジタル記録媒体に記録するダビング制御部とを備えた映像音声記録再生装置において、
磁気テープに記録されたインデックス信号を磁気テープ装置部に検出させることによって、磁気テープに記録されたインデックス信号の総数とインデックス信号の記録位置とを検出するインデックス検出手段と、
検出されたインデックス信号の総数に等しい数の選択肢を表示するとともに、ダビングの対象とする選択肢の指定の受け付けを行う選択肢指定手段とを備え、
インデックス検出手段は、磁気テープ装置部にインデックス信号を検出させるとき、インデックス信号に対応して記録された映像音声信号のそれぞれの一部を再生させることによって静止画像を示す画像データを取得するとともに、インデックス信号の記録位置に基づいて選択肢に対応する映像音声信号のそれぞれの録画期間を算出し、
選択肢指定手段は、インデックス検出手段が取得した画像データにより示される静止画像を選択肢を示す画像として表示するとともに選択肢に対応する映像音声信号の録画期間を表示し、ダビングの対象として指定された選択肢については、映像音声情報としてデジタル記録媒体に記録するときの録画モードの指定の受け付けを行い、
ダビング制御手段は、ダビングの対象として指定された選択肢に対応するインデックス信号が何番目に検出されたインデックス信号であるかに基づき、磁気テープに記録された映像音声信号のうちから、ダビングの対象として指定された選択肢に対応する映像音声信号を、映像音声情報として、指定された録画モードでもってデジタル記録媒体に記録することを特徴とする映像音声記録再生装置。
【請求項２】
磁気テープに記録されたアナログ信号形式の映像音声信号を再生して出力するとともに磁気テープに記録されたインデックス信号の検出を行う磁気テープ装置部と、
磁気テープ装置部より出力される映像音声信号をデジタル信号形式の映像音声情報に変換してデジタル記録媒体に記録するデジタル装置部と、
磁気テープ装置部により検出されるインデックス信号に基づき、磁気テープ装置部とデジタル装置部との動作を制御することによって、磁気テープに記録された映像音声信号を映像音声情報としてデジタル記録媒体に記録するダビング制御部とを備えた映像音声記録再生装置において、
磁気テープに記録されたインデックス信号を磁気テープ装置部に検出させることによって、磁気テープに記録されたインデックス信号の総数を検出するインデックス検出手段と、
検出されたインデックス信号の総数に等しい数の選択肢を表示するとともに、ダビングの対象とする選択肢の指定の受け付けを行う選択肢指定手段とを備え、
ダビング制御手段は、ダビングの対象として指定された選択肢に対応するインデックス信号が何番目に検出されたインデックス信号であるかに基づき、磁気テープに記録された映像音声信号のうちから、ダビングの対象として指定された選択肢に対応する映像音声信号を、映像音声情報としてデジタル記録媒体に記録することを特徴とする映像音声記録再生装置。
【請求項３】
選択肢指定手段は、ダビングの対象として指定された選択肢については、映像音声情報としてデジタル記録媒体に記録するときの録画モードの指定の受け付けを行い、
ダビング制御手段は、指定された選択肢に対応する映像音声信号を、映像音声情報として、指定された録画モードでもってデジタル記録媒体に記録することを特徴とする請求項２記載の映像音声記録再生装置。
【請求項４】
インデックス検出手段は、磁気テープ装置部にインデックス信号を検出させるとき、インデックス信号に対応して記録された映像音声信号のそれぞれの一部を再生させることによって静止画像を示す画像データを取得し、
選択肢指定手段は、インデックス検出手段が取得した画像データにより示される静止画像を選択肢を示す画像として表示することを特徴とする請求項２または請求項３記載の映像音声記録再生装置。
【発明の詳細な説明】
【技術分野】
【０００１】
本発明は、磁気テープに記録されたアナログ信号形式の映像音声信号を、デジタル信号形式の映像音声情報に変換してデジタル記録媒体に記録する映像音声記録再生装置に係り、より詳細には、インデックス信号を参照することによって、ユーザにより指定された映像音声信号のみを、映像音声情報としてデジタル記録媒体に記録する映像音声記録再生装置に関するものである。
【背景技術】
【０００２】
ビデオカセットテープ（以下では、単にビデオテープと称する）への映像信号の記録とビデオテープに記録された映像信号の再生とを行うビデオカセットレコーダ部（以下では、ＶＣＲ部と称する）と、ＤＶＤへの映像信号の記録とＤＶＤに記録された映像信号の再生とを行うＤＶＤレコーダ部とが一体化された装置を用いる場合では、番組が録画されたビデオテープをＶＣＲ部にセットするとともに、映像信号を記録可能なＤＶＤをＤＶＤレコーダ部にセットした後、ダビングの指示を入力するのみで、ビデオテープに録画された番組をＤＶＤにダビングすることができる（第１の従来技術とする）。
【０００３】
また、ビデオテープに記録された番組をＤＶＤにダビングする装置として、以下に示す技術が開示されている（第２の従来技術とする）。すなわち、この技術では、ダビングを行う前に磁気テープを早送り再生することによって、録画モードが切り換わる位置、および、映像信号が記録されていない無信号領域とを検出し、記憶している。そして、ダビングとなったときには、標準モードで記録された映像信号と３倍モードで記録された映像信号とのそれぞれの録画期間と、ＤＶＤにおける記録可能な領域の大きさとに基づいて、ＤＶＤに映像信号を記録するときのビットレートを定めている。また、無信号領域については、ダビングを行わないようにしている。このため、簡単な操作を行うのみで、ビデオテープに記録された映像信号は、最適となるビットレートでもって、自動で、ＤＶＤにダビングされる（例えば、特許文献１参照）。
【０００４】
また、ビデオテープに記録されたインデックス信号を利用する装置として、以下に示す技術が提案されている（第３の従来技術とする）。すなわち、この技術では、ＶＣＲ部は、ビデオテープを再生して得られた映像信号をＤＶＤレコーダ部に出力しているとき、ビデオテープに記録されたインデックス信号を検出すると、インデックス信号の検出をＤＶＤレコーダ部に知らせた後、再生を一時停止する。一方、ＤＶＤレコーダ部は、ＶＣＲ部から出力される映像信号をＤＶＤに記録しているときに、インデックス信号の検出を知らされると、ＤＶＤへの映像信号の記録を停止し、それまでのファイルとは別の新しいファイルを作成する処理を行っている。そして、前記処理を終了したときには、再生を再開させるための指示をＶＣＲ部に与え、この指示に対応してＶＣＲ部から映像信号の出力が再開されたときには、ＶＣＲ部から出力される映像信号を新しいファイルに記録している。このため、ＤＶＤに記録される映像信号は、ビデオテープにおける分割状態と同じように分割されることになる（例えば、特許文献２参照）。
【特許文献１】実登３０９２１４１号公報（第００４４−００５０段落）
【特許文献２】特開２００１−１６５４０号公報（第００２５−００３２段落）
【発明の開示】
【発明が解決しようとする課題】
【０００５】
しかしながら、第１の従来技術を用いる場合には、以下に示す問題を生じていた。すなわち、ビデオテープに記録された番組が、例えば、図５に示すように、ドラマＡの第１話５１１、アニメＡの第５話５１２、ドラマＢの第１話５１３、ドラマＡの第２話５１４、アニメＡの第６話５１５になっているとする。そして、ユーザは、ＤＶＤに、ドラマＡのみをダビングしたいとする。このような場合、ユーザは、ドラマＡの第１話５１１の頭出しを行った後、ＤＶＤへのダビングを開始する必要がある。また、ダビング中においても、ドラマＡの第１話５１１のダビングが完了したかどうかを監視し続ける必要がある。そして、ドラマＡの第１話５１１のダビングが完了したときには、ＤＶＤへの記録を停止した後、ドラマＡの第２話５１４の頭出しを行い、ダビングを再開する必要がある。また、ドラマＡの第２話５１４のダビングが完了したかどうかを監視し続ける必要がある。すなわち、１本のビデオテープに複数の番組が録画されている場合に、複数の番組のうちの特定の番組のみを選択してダビングしようとするときには、ダビングのための操作が煩雑、且つ、手間を要するものとなっていた。
【０００６】
第２の従来技術は、標準モードで記録された番組と３倍モードで記録された番組とが１本のビデオテープに混在している場合に、各番組について、最適となるビットレートでもってダビングするとともに、無信号領域についてはダビングを行わないようにする技術となっている。このため、第１の従来技術における問題、すなわち、１本のビデオテープに複数の番組が録画されている場合に、複数の番組のうちの特定の番組のみを選択してダビングしようとするときには、操作が煩雑になるという問題を解消する観点から見る場合、第２の従来技術は、適用することが困難な技術となっている。
【０００７】
第３の従来技術は、インデックス信号の記録位置を境界として、境界によって区切られる番組のそれぞれを、互いに異なるファイルにダビングする技術となっている。このため、第１の従来技術における問題、すなわち、１本のビデオテープに複数の番組が録画されている場合に、複数の番組のうちの特定の番組のみを選択してダビングしようとするときには、操作が煩雑になるという問題を解消する観点から見る場合、第３の従来技術は、適用することが困難な技術となっている。
【０００８】
本発明は、上記の問題点を解決するため創案されたものであり、その目的は、ビデオテープに記録された映像音声信号をデジタル記録媒体にダビングするときの操作を簡単化することのでき、且つ、ダビングするときの録画モードをユーザの好みに応じたモードとすることのでき、且つ、選択肢により示される映像音声信号の内容の把握を容易なものとすることのできる映像音声記録再生装置を提供することにある。
【０００９】
また本発明の目的は、インデックス信号の数に等しい数の選択肢を表示し、インデックス信号の数と記録とに基づき、ダビングの対象として指定された選択肢に対応する映像音声信号のみを、映像音声情報としてデジタル記録媒体に記録することにより、ビデオテープに記録された映像音声信号をデジタル記録媒体にダビングするときの操作を簡単化することのできる映像音声記録再生装置を提供することにある。
【００１０】
また、上記目的に加え、ダビングを行うときの録画モードを指定可能とすることにより、ダビングするときの録画モードをユーザの好みに応じたモードとすることのできる映像音声記録再生装置を提供することにある。
【００１１】
また、上記目的に加え、ビデオテープに記録された映像音声信号から取り出した静止画像を選択肢を示す画像として表示することにより、選択肢に対応する映像音声信号の内容の把握を容易にすることのできる映像音声記録再生装置を提供することにある。
【課題を解決するための手段】
【００１２】
上記の課題を解決するため、本発明に係る映像音声記録再生装置は、磁気テープに記録されたアナログ信号形式の映像音声信号を再生して出力するとともに磁気テープに記録されたインデックス信号の検出を行う磁気テープ装置部と、磁気テープ装置部より出力される映像音声信号をデジタル信号形式の映像音声情報に変換してデジタル記録媒体に記録するデジタル装置部と、磁気テープ装置部により検出されるインデックス信号に基づき、磁気テープ装置部とデジタル装置部との動作を制御することによって、磁気テープに記録された映像音声信号を映像音声情報としてデジタル記録媒体に記録するダビング制御部とを備えた映像音声記録再生装置に適用している。そして、磁気テープに記録されたインデックス信号を磁気テープ装置部に検出させることによって、磁気テープに記録されたインデックス信号の総数とインデックス信号の記録位置とを検出するインデックス検出手段と、検出されたインデックス信号の総数に等しい数の選択肢を表示するとともに、ダビングの対象とする選択肢の指定の受け付けを行う選択肢指定手段とを備えている。また、インデックス検出手段は、磁気テープ装置部にインデックス信号を検出させるとき、インデックス信号に対応して記録された映像音声信号のそれぞれの一部を再生させることによって静止画像を示す画像データを取得するとともに、インデックス信号の記録位置に基づいて選択肢に対応する映像音声信号のそれぞれの録画期間を算出し、選択肢指定手段は、インデックス検出手段が取得した画像データにより示される静止画像を選択肢を示す画像として表示するとともに選択肢に対応する映像音声信号の録画期間を表示し、ダビングの対象として指定された選択肢については、映像音声情報としてデジタル記録媒体に記録するときの録画モードの指定の受け付けを行い、ダビング制御手段は、ダビングの対象として指定された選択肢に対応するインデックス信号が何番目に検出されたインデックス信号であるかに基づき、磁気テープに記録された映像音声信号のうちから、ダビングの対象として指定された選択肢に対応する映像音声信号を、映像音声情報として、指定された録画モードでもってデジタル記録媒体に記録するようになっている。
【００１３】
すなわち、ダビングしたい映像音声信号に対応する選択肢を指定することは、ダビングしたい映像音声信号が、何番目に検出されたインデックス信号に対応付けて記録されているのかを示すことに該当する。このため、ビデオテープを先頭まで巻き戻した後、インデックス信号の検出を行い、該当するインデックス信号が検出された箇所からダビングを開始すると、ダビングされる映像音声信号は、ユーザが指定した選択肢に対応する映像音声信号となる。従って、選択肢を指定するのみで、ダビングしたい映像音声信号のみが、自動的に、映像音声情報としてデジタル記録媒体に記録されることになる。また、ダビングの対象として指定した選択肢に対応する映像音声信号に関しては、デジタル記録媒体に記録するときの録画モードを指定することができる。また、選択肢として表示される静止画像は、選択肢に対応する映像音声信号の１画面を示すことになる。また、選択肢に対応する映像音声信号の録画期間が示される。
【００１４】
また、本発明に係る映像音声記録再生装置は、磁気テープに記録されたアナログ信号形式の映像音声信号を再生して出力するとともに磁気テープに記録されたインデックス信号の検出を行う磁気テープ装置部と、磁気テープ装置部より出力される映像音声信号をデジタル信号形式の映像音声情報に変換してデジタル記録媒体に記録するデジタル装置部と、磁気テープ装置部により検出されるインデックス信号に基づき、磁気テープ装置部とデジタル装置部との動作を制御することによって、磁気テープに記録された映像音声信号を映像音声情報としてデジタル記録媒体に記録するダビング制御部とを備えた映像音声記録再生装置に適用している。そして、磁気テープに記録されたインデックス信号を磁気テープ装置部に検出させることによって、磁気テープに記録されたインデックス信号の総数を検出するインデックス検出手段と、検出されたインデックス信号の総数に等しい数の選択肢を表示するとともに、ダビングの対象とする選択肢の指定の受け付けを行う選択肢指定手段とを備えている。また、ダビング制御手段は、ダビングの対象として指定された選択肢に対応するインデックス信号が何番目に検出されたインデックス信号であるかに基づき、磁気テープに記録された映像音声信号のうちから、ダビングの対象として指定された選択肢に対応する映像音声信号を、映像音声情報としてデジタル記録媒体に記録するようになっている。
【００１５】
すなわち、ダビングしたい映像音声信号に対応する選択肢を指定することは、ダビングしたい映像音声信号が、何番目に検出されたインデックス信号に対応付けて記録されているのかを示すことに該当する。このため、ビデオテープを先頭まで巻き戻した後、インデックス信号の検出を行い、該当するインデックス信号が検出された箇所からダビングを開始すると、ダビングされる映像音声信号は、ユーザが指定した選択肢に対応する映像音声信号となる。従って、選択肢を指定するのみで、ダビングしたい映像音声信号のみが、自動的に、映像音声情報としてデジタル記録媒体に記録されることになる。
【００１６】
また、上記構成に加え、選択肢指定手段は、ダビングの対象として指定された選択肢については、映像音声情報としてデジタル記録媒体に記録するときの録画モードの指定の受け付けを行い、ダビング制御手段は、指定された選択肢に対応する映像音声信号を、映像音声情報として、指定された録画モードでもってデジタル記録媒体に記録するようになっている。すなわち、ダビングの対象として指定した選択肢に対応する映像音声信号に関しては、デジタル記録媒体に記録するときの録画モードを指定することができる。
【００１７】
また、上記構成に加え、インデックス検出手段は、磁気テープ装置部にインデックス信号を検出させるとき、インデックス信号に対応して記録された映像音声信号のそれぞれの一部を再生させることによって静止画像を示す画像データを取得し、選択肢指定手段は、インデックス検出手段が取得した画像データにより示される静止画像を選択肢を示す画像として表示するようになっている。すなわち、選択肢として表示される静止画像は、選択肢に対応する映像音声信号の１画面を示すことになる。
【発明の効果】
【００１８】
本発明によれば、ダビングしたい映像音声信号に対応する選択肢を指定することは、ダビングしたい映像音声信号が、何番目に検出されたインデックス信号に対応付けて記録されているのかを示すことに該当する。このため、ビデオテープを先頭まで巻き戻した後、インデックス信号の検出を行い、該当するインデックス信号が検出された箇所からダビングを開始すると、ダビングされる映像音声信号は、ユーザが指定した選択肢に対応する映像音声信号となる。従って、選択肢を指定するのみで、ダビングしたい映像音声信号のみが、自動的に、映像音声情報としてデジタル記録媒体に記録されることになる。また、ダビングの対象として指定した選択肢に対応する映像音声信号に関しては、デジタル記録媒体に記録するときの録画モードを指定することができる。また、選択肢として表示される静止画像は、選択肢に対応する映像音声信号の１画面を示すことになる。また、選択肢に対応する映像音声信号の録画期間が示される。このため、ビデオテープに記録された映像音声信号をデジタル記録媒体にダビングするときの操作を簡単化することができ、且つ、ダビングするときの録画モードをユーザの好みに応じたモードとすることができ、且つ、選択肢により示される映像音声信号の内容の把握を容易なものとすることができる。
【００１９】
また、本発明によれば、ダビングしたい映像音声信号に対応する選択肢を指定することは、ダビングしたい映像音声信号が、何番目に検出されたインデックス信号に対応付けて記録されているのかを示すことに該当する。このため、ビデオテープを先頭まで巻き戻した後、インデックス信号の検出を行い、該当するインデックス信号が検出された箇所からダビングを開始すると、ダビングされる映像音声信号は、ユーザが指定した選択肢に対応する映像音声信号となる。従って、選択肢を指定するのみで、ダビングしたい映像音声信号のみが、自動的に、映像音声情報としてデジタル記録媒体に記録されることになる。このため、ビデオテープに記録された映像音声信号をデジタル記録媒体にダビングするときの操作を簡単化することができる。すなわち、ビデオテープに記録された映像音声信号をデジタル記録媒体にダビングするときに、録画をスタートさせる操作、一時停止をさせる操作、および、再スタートをさせる操作といったような、一連の煩わしい操作の繰り返しを回避できるという効果を得られる。
【００２０】
また、さらに、ダビングの対象として指定した選択肢に対応する映像音声信号に関しては、デジタル記録媒体に記録するときの録画モードを指定することができるので、ダビングするときの録画モードをユーザの好みに応じたモードとすることができる。
【００２１】
また、さらに、選択肢として表示される静止画像は、選択肢に対応する映像音声信号の１画面を示すことになるので、選択肢に対応する映像音声信号の内容の把握を容易にすることができる。
【発明を実施するための最良の形態】
【００２２】
以下、本発明の実施の形態について図を参照して説明する。
【００２３】
図１は、本発明に係る映像音声記録再生装置の一実施形態の電気的構成を示すブロック線図であり、具体的には、ビデオカセットテープ（請求項記載の磁気テープであり、以下ではビデオテープと称する）、ＤＶＤおよびハードディスク（請求項記載のデジタル記録媒体）の３種を記録媒体として使用することが可能な映像音声記録再生装置を示している。
【００２４】
図において、チューナ部６は、マイクロコンピュータ（以下では、単にマイコンと称する）７から指示されたチャンネルの商用放送を受信するとともに、受信して得られたアナログ信号形式の映像音声信号を録再信号処理部４に出力する。
【００２５】
磁気テープ装置部１は、ビデオテープ１６に記録されたアナログ信号形式の映像音声信号を再生して録再信号処理部４に出力する。また、ビデオテープ１６に記録されたＶＩＳＳ信号（請求項記載のインデックス信号）の検出を行うと、ＶＩＳＳ信号の検出をマイコン７に知らせる。また、チューナ部６から出力される映像音声信号（録再信号処理部４を介して導かれる）をビデオテープ１６に記録する。
【００２６】
デジタル装置部５は、磁気テープ装置部１より出力される映像音声信号や、チューナ部６から出力される映像音声信号を、デジタル信号形式の映像音声情報に変換して、デジタル記録媒体に記録する。また、デジタル記録媒体に記録された映像音声情報を再生するとともに、再生した映像音声情報を所定処理して得られたアナログ信号形式の映像音声信号を、外部に設けられたテレビ受像機１９に出力する。なお、デジタル装置部５においては、デジタル記録媒体として、ＤＶＤ１７とハードディスク１８とが使用可能になっている。このため、ＤＶＤドライブ部２、ハードディスクドライブ部（以下では、ＨＤＤ部と称する）３、および、録再信号処理部４を備えている。
【００２７】
録再信号処理部４は、磁気テープ装置部１やチューナ部６から出力される映像音声信号をＡ／Ｄ変換した後、ＭＰＥＧ２方式（音声信号についてはＡＣ３方式）で信号圧縮を行うことにより、映像音声信号を映像音声情報に変換する。そして、変換した映像音声情報を、ＤＶＤドライブ部２やＨＤＤ部３に出力する。また、ＤＶＤドライブ部２やＨＤＤ部３から出力される映像音声情報を、ＭＰＥＧ２方式（音声信号についてはＡＣ３方式）で伸長した後、Ｄ／Ａ変換して得られた映像音声信号を、磁気テープ装置部１やテレビ受像機１９に出力する。
【００２８】
ＤＶＤドライブ部２は、録再信号処理部４から出力される映像音声情報を、所定処理してＤＶＤ（ＤＶＤ−Ｒ、ＤＶＤ−ＲＷ、ＤＶＤ−ＲＡＭ等）１７に記録する。また、ＤＶＤ１７に記録された映像音声情報を再生し、所定処理して録再信号処理部４に出力する。ＨＤＤ部３は、録再信号処理部４から出力される映像音声情報を、ハードディスク１８に記録する。また、ハードディスク１８に記録された映像音声情報を再生して録再信号処理部４に出力する。
【００２９】
入力部８は、図示されない装置本体の前面パネルに設けられた電源キー等のキースイッチや、リモートコントローラ（以下では、リモコンと称する）９から送信される赤外線信号を受光する受光ユニット等を備えており、ユーザからの指示が入力されると、入力された指示をマイコン７に出力する。なお、リモコン９には、ダビングモードへの移行を指示するダビングキー（図示を省略）が設けられている。
【００３０】
マイコン７は、映像音声記録再生装置としての主要動作を制御する。すなわち、ビデオテープ１６を記録媒体として使用するＶＣＲモードとなるときには、再生の指示がリモコン９に入力されると、磁気テープ装置部１の動作を制御することによって、ビデオテープ１６に記録された映像音声信号を再生して、テレビ受像機１９に出力する。また、録画の指示がリモコン９に入力されると、チューナ部６が出力する映像音声信号等をビデオテープ１６に録画する。
【００３１】
また、ＤＶＤ１７を記録媒体として使用するＤＶＤモードとなるときには、再生の指示がリモコン９に入力されると、録再信号処理部４とＤＶＤドライブ部２との動作を制御することによって、ＤＶＤ１７に記録された映像音声情報を再生した後、所定処理を行うことによって得られた映像音声信号をテレビ受像機１９に出力する。また、録画の指示がリモコン９に入力されると、チューナ部６が出力する映像音声信号等を映像音声情報に変換して、ＤＶＤ１７に記録する。
【００３２】
また、ハードディスク１８を記録媒体として使用するＨＤＤモードとなるときには、再生の指示がリモコン９に入力されると、録再信号処理部４とＨＤＤ部３との動作を制御することによって、ハードディスク１８に記録された映像音声情報を再生した後、所定処理して得られた映像音声信号をテレビ受像機１９に出力する。また、録画の指示がリモコン９に入力されると、チューナ部６が出力する映像音声信号等を映像音声情報に変換して、ハードディスク１８に記録する。
【００３３】
また、ＤＶＤ１７に記録された映像音声情報をハードディスク１８にダビングするための制御、および、ハードディスク１８に記録された映像音声情報をＤＶＤ１７にダビングするための制御、等を行う。
【００３４】
また、ビデオテープ１６に記録された映像音声信号を、ＤＶＤ１７やハードディスク１８にダビングするための制御を行う。このため、ダビング制御手段１１、インデックス検出手段１２、および、選択肢指定手段１３を備えている。
【００３５】
詳細には、インデックス検出手段１２は、磁気テープ装置部１を制御して、ビデオテープ１６を先頭から最後尾まで早送りで走行させることにより、ビデオテープ１６に記録されたインデックス信号の総数、および、インデックス信号の記録位置を検出し、内部に記憶する。また、インデックス信号の記録位置の間隔から、インデックス信号のそれぞれに対応して記録された映像音声信号の録画期間を算出し、内部に記憶する。また、このとき、無信号期間も併せて検出する。
【００３６】
また、磁気テープ装置部１がインデックス信号の検出を示す毎に、インデックス信号の記録位置より時間的に所定分だけ後方に記録された１画面分の映像信号（録再信号処理部４により、デジタル映像信号に変換される）を、静止画像のための画像データとして、内部に取得する。
【００３７】
選択肢指定手段１３は、図２に示すように、検出されたインデックス信号５２１〜５２５の総数に等しい数の選択肢４１１〜４１５を、ビデオテープ１６におけるインデックス信号の記録順序（インデックス信号が検出された順番）に対応付けて表示する。また、選択肢４１１〜４１５のそれぞれについて、対応する映像音声信号の録画期間４２１〜４２５を表示する。なお、このとき、選択肢４１１〜４１５のそれぞれは、インデックス検出手段１２の内部に取得された画像データにより示される静止画像を用いて表示される。
【００３８】
そして、選択肢となる静止画像４１１〜４１５がサムネイル表示された状態となるときには、どの選択肢４１１〜４１５に対応する映像音声信号をダビングの対象とするかの指定の受け付けを行う。そして、ダビングの対象とする選択肢が指定されたときには、指定された選択肢（例えば、選択肢４１１，４１４）のそれぞれについて、映像音声情報としてデジタル記録媒体に記録するときの録画モードの指定の受け付けを行う。
【００３９】
ダビング制御手段１１は、選択肢指定手段１３によってダビングの対象に指定された選択肢（例えば、４１１，４１４）に対応するインデックス信号５２１，５２４が、何番目に検出されたインデックス信号であるかに基づき、ビデオテープ１６に記録された映像音声信号のうちから、ダビングの対象として指定された選択肢に対応する映像音声信号５１１，５１４を、映像音声情報として、指定された録画モードでもって、デジタル記録媒体（ＤＶＤ１７またはハードディスク１８）に記録する。
【００４０】
すなわち、例えば、選択肢４１１，４１４が指定されており、デジタル記録媒体としてＤＶＤ１７が指定されているとする。また、選択肢４１１の録画モードについてはＳＰモードが指定され、選択肢４１４の録画モードについてはＥＰモードが指定されているとする。この場合、ダビング制御手段１１は、磁気テープ装置部１とＤＶＤドライブ部２と録再信号処理部４とを制御することによって、選択肢４１１に対応する映像音声信号５１１を映像音声情報に変換し、ＳＰモードでもってＤＶＤ１７に記録する。また、選択肢４１４に対応する映像音声信号５１４を映像音声情報に変換し、ＥＰモードでもってＤＶＤ１７に記録する（後に詳述する）。
【００４１】
図３、図４は、ビデオテープに記録された映像音声信号をデジタル記録媒体にダビングするときの実施形態の主要を動作を示すフローチャートである。必要に応じて同図を参照しつつ、実施形態の動作を説明する。
【００４２】
リモコン９に新たに設けられたダビングキー（図示を省略）を押下することによって、ダビングモードへの移行を指示する（ステップＳ１）と、インデックス検出手段１２は、磁気テープ装置部１を制御することによって、ビデオテープ１６を先頭まで巻き戻す（ステップＳ２）。そして後、早送りを行い、映像音声信号が記録されていない無信号期間の検出、テープエンドとなるかどうか、および、インデックス信号が検出されるかどうかを調べるループ動作に移行する（ステップＳ３〜Ｓ６）。
【００４３】
インデックス信号が検出されたときには、インデックス信号に通し番号を付与し、付与した番号とインデックス信号の記録位置とを対応付けて記憶する（ステップＳ７）。また、ビデオテープ１６の走行を停止させた後、再生に移行させて、１画面分の映像音声信号を再生させる（ステップＳ８）。この１画面分の映像音声信号は、録再信号処理部４において静止画像を示す画像データに変換され、インデックス検出手段１２に出力される。インデックス検出手段１２は、この画像データを内部に取得する（ステップＳ９）。そして後、動作は、ステップＳ３に移行して、ビデオテープ１６は早送りされる。
【００４４】
上記動作は、インデックス信号が検出される毎に繰り返される。そして、テープエンドとなるときには、動作は、ステップＳ５からステップＳ１０に移行するので、インデックス検出手段１２は、インデックス信号５２１〜５２５によって区切られた映像音声信号５１１〜５１５のそれぞれの録画期間を算出する。なお、この算出においては、ステップＳ４において検出され、記録された無信号期間が参照される。つまり、インデックス信号５２１〜５２５によって区切られた期間において、無信号期間が無いときには、インデックス信号５２１〜５２５により区切られた期間の全てが録画期間として算出され、無信号期間があるときには、前記の算出された録画期間から、無信号期間を減じた期間が、録画期間として算出される（後に詳述する）。
【００４５】
この後、動作は、インデックス検出手段１２から選択肢指定手段１３に引き継がれ、選択肢指定手段１３は、ダビングの対象となる選択肢を、静止画像４１１〜４１５を用いて表示する（ステップＳ１１）。また、静止画像４１１〜４１５のそれぞれに対応付けて、対応する映像音声信号５１１〜５１５の録画期間４２１〜４２５を表示する（ステップＳ１２）。
【００４６】
従って、いま、ビデオテープ１６には、図５に示すように、５つのインデックス信号５２１〜５２５が記録されるとともに、インデックス信号５２１〜５２５により区切られて、５つの映像音声信号５１１〜５１５が記録されているとすると、テレビ受像機１９には、図２（Ａ）に示すように、インデックス信号５２１〜５２５のそれぞれに対応する選択肢として、５つの静止画像４１１〜４１５が表示される。また、各静止画像４１１〜４１５に対応する映像音声信号５１１〜５１５の録画期間４２１〜４２５が表示される。
【００４７】
なお、静止画像（選択肢）４１１〜４１５は、ビデオテープ１６におけるインデックス信号５２１〜５２５の記録順序に対応付けて表示される。このため、静止画像４１１は映像音声信号５１１を、静止画像４１２は映像音声信号５１２を、静止画像４１３は映像音声信号５１３を、静止画像４１４は映像音声信号５１４を、静止画像４１５は映像音声信号５１５を示すことになる。
【００４８】
また、既に説明したように、ステップＳ４の動作によって、ビデオテープ１６における無信号期間が検出されている。このため、映像音声信号５１５の録画期間４２５については、インデックス信号５２５の記録位置からテープエンドまでの期間ｔ１１から、無信号５５となっている無信号期間ｔ１３を減じた期間ｔ１２が表示されることになる。
【００４９】
また、画面の下方には、ダビングの対象となるデジタル記録媒体をＤＶＤ１７とするためのボタン４４１、ダビングの対象となるデジタル記録媒体をハードディスク１８とするためのボタン４４２、ダビングを開始させるためのボタン４４３、および、ダビングを取り消すためのボタン４４４が表示される。且つ、ダビングの対象となるデジタル記録媒体には、デフォールトとしてＤＶＤ１７が選択されていることを示すために、ＤＶＤを示すボタン４４１がハイライト表示される。
【００５０】
上記表示となったときには、次に、選択肢を指定する指示が入力されたかどうか（ステップＳ１５）、ダビングの対象となるデジタル記録媒体を変更する指示が入力されたかどうか（ステップＳ１６）、ダビングの開始の指示が入力されたかどうか（ステップＳ１７）、ダビングの取り消しが入力されたかどうか（ステップＳ１８）を調べるループ動作に移行する。
【００５１】
ユーザは、選択肢として表示された静止画像４１１〜４１５、および、録画期間４２１〜４２５から、映像音声信号５１１〜５１５がどのような番組を録画したものであったのかを思い出し、ダビングしたい番組に対応する静止画像を指定する。このため、例えば、ドラマＡの第１話５１１とドラマＡの第２話５１４とをＤＶＤ１７にダビングしたいと思った場合、リモコン９を用いて、先ず、静止画像４１１を指定する。
【００５２】
ユーザが、リモコン９を用いて静止画像４１１を指定すると、動作は、ステップＳ１５からステップＳ２１に移行する。このため、ユーザが指定した静止画像４１１に対応付けて、映像音声信号５１１をＤＶＤ１７にダビングするときの録画モードが表示される。このとき、最初に表示される録画モードは、デフォールトであるＳＰモードとなっている（図２（Ｂ）の４３１により示す）。
【００５３】
録画モードは、リモコン９の上下方向キー（図示を省略）を操作することによって、変更することができるようになっている。このため、ユーザは、必要に応じて上下方向キーを操作し、所望の録画モードを選択する。そして後、決定キーを操作すると、録画モードの指定の終了となり（ステップＳ２２）、再び、ステップＳ１５〜Ｓ１８のループ動作に戻る。
【００５４】
この後、リモコン９を用いて静止画像４１４を指定すると、指定した静止画像４１４に対応付けて、ダビングするときの録画モードが表示される。この状態において、リモコン９の上下方向キー（図示を省略）を操作すると、録画モードが変更される。図２（Ｂ）の４３４は、ユーザが、静止画像４１４に対応する映像音声信号５１４をダビングするときの録画モードとして、ＥＰモードを指定した場合の表示を示している。
【００５５】
ダビングの対象として、静止画像４１１，４１４の指定を行うとともに、静止画像４１１，４１４のそれぞれにおける録画モードを指定した後（録画モード欄４３に録画モードが表示されることによって、選択肢が指定済となっていることが示される）、開始ボタン４４３を操作すると、動作は、ステップＳ１７からステップＳ２４に移行する。このため、映像音声信号５１１はＳＰモードでＤＶＤ１７にダビングされ、映像音声信号５１４はＥＰモードでＤＶＤ１７にダビングされる。
【００５６】
詳細には、ダビング制御手段１１は、ビデオテープ１６を先頭まで巻き戻した後、ビデオテープ１６を走行させる。そして、１番目のインデックス信号であるインデックス信号５２１が検出されたときには、以後に再生される映像音声信号５１１を、ＤＶＤ１７上に新しく作成されたファイルにダビングする。そして後、２番目のインデックス信号であるインデックス信号５２２が検出されるまでダビングを継続し、インデックス信号５２２が検出されたとき、ダビングを停止する。
【００５７】
次いで、ダビング制御手段１１は、４番目のインデックス信号であるインデックス信号５２４が検出されるまでビデオテープ１６を走行させる。そして、インデックス信号５２４が検出されたときには、以後に再生される映像音声信号５１４を、映像音声信号５１１をダビングしたファイルとは別のファイルにダビングする。そして後、５番目のインデックス信号であるインデックス信号５２５が検出されると、ダビングを停止する。すなわち、ビデオテープ１６に記録された映像音声信号５１１〜５１５のうち、映像音声信号５１１と映像音声信号５１４とのみが、自動で、且つ、互いに異なるファイルにダビングされることになる。
【００５８】
なお、開始ボタン４４３を操作する前に、ボタン４４２を操作すると、動作が、ステップＳ１６からステップＳ２３に移行して、ダビングの対象となるデジタル記録媒体が、ＤＶＤ１７からハードディスク１８に変更される。また、ダビングの対象となるデジタル記録媒体を、ＤＶＤ１７からハードディスク１８に変更した後において、ボタン４４１を操作すると、ダビングの対象となるデジタル記録媒体が、ハードディスク１８からＤＶＤ１７に変更される。
【００５９】
また、任意のタイミングにおいて、ボタン４４４を操作したときには、動作は、ステップＳ１８からステップＳ２５に移行して、図２に示す選択肢の指定のための画面の表示が停止され、ダビングモードに移行する前の状態に復帰する。
【００６０】
なお、本発明は上記実施形態に限定されず、デジタル記録媒体としてＤＶＤ１７とハードディスク１８とを使用することが可能な構成とした場合について説明したが、ＤＶＤ１７のみをデジタル記録媒体として使用する装置（ＤＶＤレコーダ）、あるいは、ハードディスク１８のみを使用する装置、等の場合にも、同様に適用することができる。
【００６１】
また、選択肢を示す画像としては、静止画像を用いることなく、四角形等の枠内に録画期間４２１〜４２５を表示した図形等とすることができる。そして、この構成を用いるときでは、静止画像のための画像データを取得することが不要となり、インデックス信号の総数を検出するのみ、あるいは、インデックス信号の総数と記録位置とを検出するのみで、選択肢を示す画面を表示することができる。つまり、リモコン９に設けられたダビングキーを押下して後、選択肢を示す画面が表示されるまでの時間を短くすることができる、という効果が得られる。
【図面の簡単な説明】
【００６２】
【図１】本発明に係る映像音声記録再生装置の一実施形態の電気的構成を示すブロック線図である。
【図２】選択肢を指定するときに表示される画面の様子を示す説明図である。
【図３】ビデオテープに記録された映像音声信号をデジタル記録媒体にダビングするときの実施形態の主要を動作を示すフローチャートである。
【図４】ビデオテープに記録された映像音声信号をデジタル記録媒体にダビングするときの実施形態の主要を動作を示すフローチャートである。
【図５】ビデオテープに記録された映像音声信号の様子を示す説明図である。
【符号の説明】
【００６３】
１  磁気テープ装置部
５  デジタル装置部
１１  ダビング制御手段
１２  インデックス検出手段
１３  選択肢指定手段
１６  ビデオテープ（磁気テープ）
１７  ＤＶＤ（デジタル記録媒体）
１８  ハードディスク（デジタル記録媒体）
４１１〜４１５  選択肢である静止画像
４２１〜４２５  録画期間
４３１，４３４  録画モード
５１１〜５１５  映像音声信号
５２１〜５２５  インデックス信号
【図１】
2006041854.tif 000003
【図２】
2006041854.tif 000004
【図３】
2006041854.tif 000005
【図４】
2006041854.tif 000006
【図５】
2006041854.tif 000007